(57)【要約】【課題】切欠きなどの易開口手段の部位の視認が容易であるとともに、開口と同時に内容物が飛び出し、衣服等を汚すことがないようにした密封袋状包装体を提供する。【解決手段】内容物収容部５を有する袋本体２に、前記内容物収容部５と連通する排出通路６を有し、かつ袋本体２よりも狭幅な排出部４を、当該排出部４の周縁の少なくとも一部をシールして突設し、かつ前記シール部７，８に、前記排出通路６を開口するための切欠き９，１０などの易開口手段を設けた密封袋状包装体１とする。【選択図】図１
2007223616.tif 000002
【特許請求の範囲】
【請求項１】
内容物収容部を有する袋本体に、前記内容物収容部と連通する排出通路を有し、かつ袋本体よりも狭幅の排出部を、当該排出部の周縁の少なくとも一部をシールして突設し、かつ前記シール部に、前記排出通路を開口するための易開口手段を設けたことを特徴とする密封袋状包装体。
【請求項２】
排出部を、袋本体の上縁における左右端部の一方、または中央部、あるいは上縁と側部周縁とが交わる角部に設けたことを特徴とする請求項１記載の密封袋状包装体。
【請求項３】
密封袋状包装体を、人間、動植物、無生物、あるいは各種のキャラクタを模した形状としたことを特徴とする請求項１または２記載の密封袋状包装体。
【請求項４】
排出部における排出通路を、片手の指で閉塞しうるような狭幅のものとしたことを特徴とする請求項１〜３のいずれかに記載の密封袋状包装体。
【請求項５】
袋本体に複数の内容物収容部を設け、かつ各内容物収容部毎に連通する排出通路を有する排出部を設けたことを特徴とする請求項１〜４のいずれかに記載の密封袋状包装体。
【請求項６】
複数の内容物収容部が設けられた袋本体に設けた複数の排出部を、それぞれ独立または一体のものとしたことを特徴とする請求項５記載の密封袋状包装体。
【請求項７】
排出通路を開口するための易開口手段を、切欠き、引裂ノッチまたはミシン目としたことを特徴とする請求項１〜６のいずれかに記載の密封袋状包装体。
【請求項８】
排出部の遊端部を拡幅するとともに、排出部における非拡幅部分に易開口手段を設けたことを特徴とする請求項７記載の密封袋状包装体。
【請求項９】
易開口手段を、排出部の非拡幅部分における拡幅部分と当接する部位に設けたことを特徴とする請求項８記載の密封袋状包装体。
【請求項１０】
排出部の左右両側にシール部を設けるとともに、この両シール部に易開口手段を設けたことを特徴とする請求項１〜９のいずれかに記載の密封袋状包装体。
【請求項１１】
密封袋状包装体の全周縁のうち、少なくとも一辺の縁を、折り縁としたことを特徴とする請求項１〜１０のいずれかに記載の密封袋状包装体。
【発明の詳細な説明】
【技術分野】
【０００１】
本発明は、たとえば醤油、香辛料等の調味料類、スープ類、その他、液状、流粘状あるいは粉粒状の各種の飲食物、化粧品、医薬品等を充填するための密封袋状包装体に関する。
【背景技術】
【０００２】
この種の密封袋状包装体は、たとえば図１０に示す密封袋状包装体(01)のように、合成樹脂製のフィルムまたはシートを２つ折りにして、２つの周縁(02)(03)をヒートシールし、内部に調味料等を封入するとともに、残りの周縁(04)をヒートシールし、かつ上縁シール部(05)と側縁シール部(06)が交わる角部(07)を開口するためのミシン目(08)を、上縁シール部(05)と側縁シール部(06)に亘り、前記角部(07)を横切り一直線状になるように設けたものが公知である（たとえば、特許文献１）。
【０００３】
しかし、この密封袋状包装体(01)は、本来、視認性が余り容易ではないミシン目(08)が、どの角部に設けられているかを確認する必要があるとともに、ミシン目(08)が、上縁シール部(05)および側縁シール部(06)に斜めに設けられているため、引裂き寸法が大きいという問題がある。
【０００４】
さらに、ミシン目(08)を引裂く際には、たとえば上縁シール部(05)におけるミシン目(08)の左右両側を、それぞれ左右の手でもって引裂くために、内容物の飛び出し防止を行うことが困難であり、開口と同時に内容物が飛び出し衣服等を汚す場合がある。
【０００５】
また、図１１に示す密封袋状包装体(09)は、１つの周縁におけるヒートシール部(010)から内側に向かって適当な長さの内向ヒートシール部(011)が設けられ、この内向ヒートシール部(011)に、内側に向かってミシン目(012)を設けたものである（特許文献２参照）。
【０００６】
この密封袋状包装体(09)は、ミシン目(012)の位置確認が容易であるとともに、ミシン目(012)を長くすることができるため、ミシン目(012)の引裂き作業の際に、指で掴む部分を比較的大きくとることができることから、引裂き作業が容易になるという長所がある。
【０００７】
しかし、特許文献１に記載される密封袋状包装体(01)と同様に、ミシン目(012)の引裂き作業の際には、ミシン目(012)の上下両側を、それぞれ左右の手でもって引裂くため、内容物の飛び出し防止を行うことが困難であり、同じく開口と同時に内容物が飛び出し衣服等を汚す場合がある。
【特許文献１】特開平９−２４０６９３
【特許文献２】特開２００４−１０１１４
【発明の開示】
【発明が解決しようとする課題】
【０００８】
本発明は、前記の問題点に鑑み、ミシン目や切欠きなどの易開口手段の部位の視認が容易であるとともに、開口と同時に内容物が飛び出し、衣服等を汚すことがないようにした密封袋状包装体を提供することを目的とする。
【課題を解決するための手段】
【０００９】
上記課題は、特許請求の範囲における各請求項に示すように、下記の構成を備える発明によって解決される。
(１)  内容物収容部を有する袋本体に、前記内容物収容部と連通する排出通路を有し、かつ袋本体よりも狭幅の排出部を、当該排出部の周縁の少なくとも一部をシールして突設し、かつ前記シール部に、前記排出通路を開口するための易開口手段を設けた密封袋状包装体とする。
【００１０】
(２)  上記(１)項において、排出部を、袋本体の上縁における左右端部の一方、または中央部、あるいは上縁と側部周縁とが交わる角部に設ける。
【００１１】
(３)  上記(１)項または(２)項において、密封袋状包装体を、人間、動植物、無生物、あるいは各種のキャラクタを模した形状とする。
【００１２】
(４)  上記(１)項〜(３)項のいずれかにおいて、排出部における排出通路を、片手の指で閉塞しうるような狭幅のものとする。
【００１３】
(５)  上記(１)項〜(４)項のいずれかにおいて、袋本体に複数の内容物収容部を設け、かつ各内容物収容部毎に連通する排出通路を有する排出部を設ける。
【００１４】
(６)  上記(５)項において、複数の内容物収容部が設けられた袋本体に設けた複数の排出部を、それぞれ独立または一体のものとする。
【００１５】
(７)  上記(１)項〜(６)項のいずれかにおいて、排出通路を開口するための易開口手段を、切欠き、引裂ノッチまたはミシン目とする。
【００１６】
(８)  上記(７)項において、排出部の遊端部を拡幅するとともに、排出部における非拡幅部分に易開口手段を設ける。
【００１７】
(９)  上記(８)項において、易開口手段を、排出部の非拡幅部分における拡幅部分と当接する部位に設ける。
【００１８】
(10)  上記(１)項〜(９)項のいずれかにおいて、排出部の左右両側にシール部を設けるとともに、この両シール部に易開口手段を設ける。
【００１９】
(11)  上記(１)項〜(10)項のいずれかにおいて、密封袋状包装体の全周縁のうち、少なくとも一辺の縁を、折り縁とする。
【発明の効果】
【００２０】
本発明によると、次のような効果が奏せられる。
請求項１記載の発明によれば、ミシン目や切欠きなどの易開口手段が、排出部に設けられており、かつ前記排出部が袋本体よりも狭幅に形成され突設されているため、ミシン目等の易開口手段が設けられている部位を、極めて容易に視認することができる。
また、排出通路が設けられた排出部が狭幅に形成されており、この排出通路を片手の指で簡単に押さえて閉塞することができるため、開口と同時に内容物が飛び出し衣服等を汚すことを有効に防止することができる。
【００２１】
請求項２記載の発明によれば、排出部を簡単に視認することができるとともに、排出部に設けられたミシン目などの易開口手段の部位を引裂く作業を、袋本体と狭幅な排出部のそれぞれを各片手でもって容易に行うことができる。
【００２２】
請求項３記載の発明によれば、内容物を充填する包装体としての本来の機能に加えて、目で見て楽しむ趣向的要素をも併せもった密封袋状包装体とすることができる。
【００２３】
請求項４記載の発明によれば、開口の際に、片手の指で排出通路を閉塞することができるため、開口と同時に内容物が飛び出して、衣服等を汚すことを有効に防止することができる。
【００２４】
請求項５記載の発明によれば、同種類の内容物を使用回数毎に分けて、あるいは種類の異なる内容物を１つの密封袋状包装体に充填することができる。
【００２５】
請求項６記載の発明によれば、複数の排出部をそれぞれ独立に設けた場合は、各内容物収容部と各排出部との対応関係が容易に判別できるとともに、たとえば排出部の左右両側に易開口手段を設けることができるため、開口作業が容易となる。
他方、複数の排出部を一体のものとして設けた場合は、たとえば排出部をそれぞれ独立に設けた場合には、各排出部の幅が過度に小さくなり、運搬または保管中に前記排出部がちぎれる虞があるようなときにも、複数の排出部を一体とすることにより、前記の問題点を解消するとともに、排出部の幅をある程度大きくして、指で掴みうる部分を大きくし、開口時の作業性を向上させることができる。
【００２６】
請求項７記載の発明によれば、密封袋状包装体の形状やシール部の幅等により、切欠き、引裂ノッチ、ミシン目のうち、好適な方を選択して、開口時に作業性のよい密封袋状包装体とすることができる。
【００２７】
請求項８記載の発明によれば、排出部の幅が小さい場合にも、排出部の遊端部を拡幅して、指で掴む部分の幅を大きくし、開口時に作業性のよい密封袋状包装体とすることができる。
【００２８】
請求項９記載の発明によれば、排出部の拡幅部分を指で掴んで開口しようとする力が、直接的に易開口手段の部位に伝達されるため、容易に引裂くことができることから、開口時の作業性が極めて良好である。
【００２９】
請求項１０記載の発明によれば、左右いずれからも引裂き作業を行うことができるとともに、たとえば排出部を左右の中央から折り曲げて引裂き作業を行う場合にも、左右両側に易開口手段が設けられているため、容易に開口することができる。
【００３０】
請求項１１記載の発明によれば、内容物の収容空間を大きくすることができるとともに、コスト上も有利になる。
【発明を実施するための最良の形態】
【００３１】
図１〜図７は、いずれも本発明の密封袋状包装体の代表的な実施形態を示す正面図である。
【００３２】
図１に示す密封袋状包装体(１)は、合成樹脂、たとえばポリエチレンやポリプロピレンのフィルムまたはシートを上向きに２つ折りにして、三方をヒートシールしてなる袋本体(２)の上縁(３)における右端部に、上向突出する排出部(４)を設けたものである。折り縁(2a)は、袋本体(２)の下縁となっている。排出部(４)の幅Ａは、袋本体(２)の幅Ｂよりも狭幅とされている。
【００３３】
袋本体(２)に設けられた内容物収容部(５)は、排出部(４)に設けられた排出通路(６)と連通している。
【００３４】
排出部(４)における排出通路(６)の幅Ｃは、片手の指で閉塞しうる程度の狭幅とされている。
【００３５】
排出部(４)における左右の側縁シール部(７)(８)の等高位置の個所には、排出通路(６)を開口するための易開口手段としての切欠き(９)(10)が設けられている。
【００３６】
そのため、たとえば排出部(４)を左右中央の中心線に沿って折り曲げ、左右の切欠き(９)(10)を重ねた状態で引裂いて、排出部(４)における前記切欠き(９)(10)より上方の遊端部(11)をちぎり取って、排出通路(６)を開口させることができる。
【００３７】
もし、一方の切欠き(９)のみが引裂かれて、遊端部(11)が完全にちぎり取られずに残っていると、袋本体(２)を指で押さえて内容物を注出する際に、内容物が、残存する遊端部(11)に邪魔されて、円滑な注出が妨げられたり、内容物が、残存する遊端部(11)にぶっつかって、跳ね返り、衣服等を汚す場合があるが、前記のように遊端部(11)をちぎり取ることにより、このような不都合を防止することができる。
【００３８】
また、排出部(４)における排出通路(６)の左右の幅Ｃは、片手の指で閉塞しうる程度に狭幅に形成されているため、排出通路(６)を開口する際には、片手の指で排出通路(６)を押さえて閉塞するとともに、袋本体(２)を掴み、他方の手の指で排出部(４)の遊端部(11)を掴んでちぎり取ることにより、開口と同時に内容物が飛び出して、衣服等を汚すという不都合を防止することができる。
【００３９】
図２に示す密封袋状包装体(12)は、合成樹脂フィルムを下向きに２つ折りして、その折り縁(12a)を、上向突出する排出部(13)の上縁とし、三方をヒートシールして袋本体(14)を形成したものである。
【００４０】
排出部(13)における左右の側縁シール部(15)(16)には、易開口手段としての切欠き(17)(18)が設けられている。
【００４１】
図３に示す密封袋状包装体(19)は、左右方向に２つ折りした合成樹脂フィルムの三方をヒートシールして、上縁の一側より上向突出する排出部(20)を形成したものである。
【００４２】
排出部(20)における左側縁シール部(21)に、易開口手段としての横方向を向く引裂ノッチ(22)が途中まで設けられている。
【００４３】
図４に示す密封袋状包装体(23)は、重合した２枚の合成樹脂フィルムの全周をヒートシールして形成されており、上縁の右端から上向突出する排出部(24)の左右の側縁シール部(25)(26)に、横方向を向くミシン目(27)(28)が設けられている。
【００４４】
図５に示す密封袋状包装体(29)は、方形の合成樹脂フィルムを筒状に巻回して側縁(29a)(29b)同士を重合して溶着(30)した後、扁平としたもので、折り縁は、密封袋状包装体(29)の左右側縁(31)(32)となっており、上下縁(33)(34)をヒートシールして、密封袋状包装体(29)とされている。
上縁(33)における右端近傍に、両側に切欠き(35)(35)を有する排出部(36)が上向突設されている。
なお、前縁(29a)(29b)同士を重合して溶着(30)することに代えて、おがみ合わせの形態として溶着してもよい。
【００４５】
図６に示す密封袋状包装体(37)は、全周縁をヒートシールした壜形のものである。排出部(38)の遊端部(39)が拡幅されているとともに、易開口手段としての切欠き(40)が、排出部(38)の非拡幅部分(41a)における、拡幅部分(41b)と当接する部位に設けられている。
【００４６】
密封袋状包装体(37)を開口する際、排出部(38)の拡幅部分(41b)を指で掴んで開口しようとする力が、直接的に切欠き(40)の部位に伝達されるため、容易に引裂くことができ、開口時の作業性が良好となる。
【００４７】
図７に示す密封袋状包装体(42)は、象を模した形状のものであり、全周縁がヒートシールされている。
【００４８】
象の胴体および頭の部分で袋本体(43)が、また鼻の部分で排出部(44)が形成され、排出部(44)には、切欠き(45)(45)が設けられ、片手の指で胴、他方の手の指で鼻の部分をもって、容易に開口しうるようになっている。
【００４９】
図８に示す密封袋状包装体(46)は、袋本体(47)に、２つの内容物収容部(48)(48)が設けられ、各内容物収容部(48)毎に、排出通路(49)を有する排出部(50)が形成されている。２つの排出部(50)(50)は一体に形成されており、その左右の側縁シール部(51)(51)に、左右方向に並ぶ切欠き(52)(52)が設けられている。
【００５０】
図９に示す密封袋状包装体(53)は、袋本体(54)に、２つの内容物収容部(55)(55)が設けられ、各内容物収容部(55)毎に連通する排出通路(56)が設けられている点は、図８に示した密封袋状包装体(46)と同様である。
しかし、左右の排出部(57)(57)は、それぞれ独立して設けられている。
【００５１】
図８，図９に示す密封袋状包装体(46)(53)は、同種類の内容物を使用回数毎に分けて、あるいは種類の異なる内容物を、１つの密封袋状包装体に充填することができる利点がある。
【００５２】
以上、代表的な実施形態について説明したが、本発明の密封袋状包装体は、正面視において、方形、壜形、その他、人間、動植物、無生物、あるいは各種のキャラクタを模した形状とすることができる。
【００５３】
また排出部は、袋本体の上縁の左右端部、中央部の他に、たとえば上縁と側部周縁とが交わる角部に設けることもできる。
【図面の簡単な説明】
【００５４】
【図１】本発明の密封袋状包装体の実施形態を示す正面図である。
【図２】同じく、本発明の密封袋状包装体の他の実施形態を示す正面図である。
【図３】同じく、本発明の密封袋状包装体の他の実施形態を示す正面図である。
【図４】同じく、本発明の密封袋状包装体の他の実施形態を示す正面図である。
【図５】同じく、本発明の密封袋状包装体の他の実施形態を示す正面図である。
【図６】同じく、本発明の密封袋状包装体の他の実施形態を示す正面図である。
【図７】同じく、本発明の密封袋状包装体の他の実施形態を示す正面図である。
【図８】同じく、本発明の密封袋状包装体の他の実施形態を示す正面図である。
【図９】同じく、本発明の密封袋状包装体の他の実施形態を示す正面図である。
【図１０】従来の密封袋状包装体を示す正面図である。
【図１１】同じく、従来の密封袋状包装体を示す正面図である。
【符号の説明】
【００５５】
(１)密封袋状包装体
(２)袋本体
(2a)折り縁
(３)上縁
(４)排出部
(５)内容物収容部
(６)排出通路
(７)(８)側縁シール部
(９)(10)切欠き
(11)遊端部
(12)密封袋状包装体
(12a)折り縁
(13)排出部
(14)袋本体
(15)(16)側縁シール部
(17)(18)切欠き
(19)密封袋状包装体
(20)排出部
(21)左側縁シール部
(22)引裂ノッチ
(23)密封袋状包装体
(24)排出部
(25)(26)側縁シール部
(27)(28)ミシン目
(29)密封袋状包装体
(29a)(29b)側縁
(30)溶着（部）
(31)(32)側縁
(33)上縁
(34)下縁
(35)切欠き
(36)排出部
(37)密封袋状包装体
(38)排出部
(39)遊端部
(40)切欠き
(41a)非拡幅部分
(41b)拡幅部分
(42)密封袋状包装体
(43)袋本体
(44)排出部
(45)切欠き
(46)密封袋状包装体
(47)袋本体
(48)内容物収容部
(49)排出通路
(50)排出部
(51)側縁シール部
(52)切欠き
(53)密封袋状包装体
(54)袋本体
(55)内容物収容部
(56)排出通路
(57)排出部  
(01)密封袋状包装体
(02)側縁
(03)下周縁
(04)上周縁
(05)上縁シール部
(06)側縁シール部
(07)角部
(08)ミシン目
(09)密封袋状包装体
(010)ヒートシール部
(011)内向ヒートシール部
(012)ミシン目
【図１】
2007223616.tif 000003
【図２】
2007223616.tif 000004
【図３】
2007223616.tif 000005
【図４】
2007223616.tif 000006
【図５】
2007223616.tif 000007
【図６】
2007223616.tif 000008
【図７】
2007223616.tif 000009
【図８】
2007223616.tif 000010
【図９】
2007223616.tif 000011
【図１０】
2007223616.tif 000012
【図１１】
2007223616.tif 000013